(57)【要約】【課題】漏電の誤検知を好適に抑制することができる電源スタンド、電力変換装置及び放電システムを提供すること。【解決手段】放電システムＳは、蓄電装置Ｂを有し且つ直流電力の放電が可能な直流型車両Ｃ１に接続可能な電力変換装置１０と、電力変換装置１０に接続可能なものであって交流電力の入出力が可能な電源スタンド２０とを備えている。ここで、電力変換装置１０は変換漏電検知ライン３１上に設けられた変換漏電検知部３２を備え、電源スタンド２０は、電源漏電検知ライン４１上に設けられた電源漏電検知部４２及びリレー５０を備えている。そして、電力変換装置１０と電源スタンド２０とが接続された場合、リレー５０はオフ状態となる。【選択図】図１
2015050795.tif 000002
【特許請求の範囲】
【請求項１】
交流電力の入出力が可能な電源スタンドにおいて、
前記交流電力が伝送される電源電力ラインと、
前記電源電力ラインとアースとを接続する電源漏電検知ライン上に設けられ、漏電を検知する電源漏電検知部と、
前記電源漏電検知ライン上に設けられたスイッチング素子と、
を備え、
前記スイッチング素子は、直流電力を前記交流電力に変換するものであって漏電を検知する変換漏電検知部を有する電力変換装置と前記電源スタンドとが接続された場合には、オフ状態となることを特徴とする電源スタンド。
【請求項２】
前記電源スタンドと前記電力変換装置とを接続するケーブルとして、
前記交流電力を伝送するのに用いられる電力ケーブルと、
信号を伝送するのに用いられる信号ケーブルと、
を備え、
前記スイッチング素子は、前記信号ケーブルを介して前記電力変換装置から前記電源スタンドに入力される特定信号に基づいて、オン状態からオフ状態に切り替わる請求項１に記載の電源スタンド。
【請求項３】
前記電源電力ラインは、第１電源電力ライン及び第２電源電力ラインを備え、
前記電源漏電検知ラインは、前記各電源電力ラインと前記電源漏電検知部との間の分岐点にて並列に分岐して前記各電源電力ラインに接続されており、
前記スイッチング素子は、前記分岐点及びアース間を接続している共通ライン上に設けられている請求項１又は請求項２に記載の電源スタンド。
【請求項４】
前記電源電力ラインは、第１電源電力ライン及び第２電源電力ラインを備え、
前記電源漏電検知ラインは、前記各電源電力ラインと前記電源漏電検知部との間の分岐点にて並列に分岐して前記各電源電力ラインに接続されており、
前記スイッチング素子は、前記分岐点及び前記第１電源電力ライン間を接続している第１分岐ライン上と、前記分岐点及び前記第２電源電力ライン間を接続している第２分岐ライン上との双方に設けられているリレーである請求項１又は請求項２に記載の電源スタンド。
【請求項５】
蓄電装置を有し且つ直流電力の放電が可能な直流型車両と、交流電力の入出力が可能であり且つ漏電を検知する電源漏電検知部を有する電源スタンドとの双方に接続可能であるとともに、前記直流電力を前記交流電力に変換する電力変換装置であって、
前記直流電力又は前記交流電力が伝送される変換電力ラインと、
前記変換電力ラインとアースとを接続する変換漏電検知ライン上に設けられ、漏電を検知する変換漏電検知部と、
前記変換漏電検知ライン上に設けられたスイッチング素子と、
を備え、
前記スイッチング素子は、前記電力変換装置と前記電源スタンドとが接続された場合にオフ状態となることを特徴とする電力変換装置。
【請求項６】
前記電源スタンドは、前記電源スタンドと前記電力変換装置とを接続するケーブルとして、
前記交流電力を伝送するのに用いられる電力ケーブルと、
信号を伝送するのに用いられる信号ケーブルと、
を備え、
前記スイッチング素子は、前記信号ケーブルを介して前記電源スタンドから前記電力変換装置に入力される特定信号に基づいて、オン状態からオフ状態に切り替わる請求項５に記載の電力変換装置。
【請求項７】
前記変換電力ラインは、第１変換電力ライン及び第２変換電力ラインを備え、
前記変換漏電検知ラインは、前記各変換電力ラインと前記変換漏電検知部との間の分岐点にて並列に分岐して前記各変換電力ラインに接続されており、
前記スイッチング素子は、前記分岐点及びアース間を接続している共通ライン上に設けられている請求項５又は請求項６に記載の電力変換装置。
【請求項８】
前記変換電力ラインは、第１変換電力ライン及び第２変換電力ラインを備え、
前記変換漏電検知ラインは、前記各変換電力ラインと前記変換漏電検知部との間の分岐点にて並列に分岐して前記各変換電力ラインに接続されており、
前記スイッチング素子は、前記分岐点及び前記第１変換電力ライン間を接続している第１分岐ライン上と、前記分岐点及び前記第２変換電力ライン間を接続している第２分岐ライン上との双方に設けられているリレーである請求項５又は請求項６に記載の電力変換装置。
【請求項９】
交流電力の入出力が可能な電源スタンドと、
前記電源スタンドと接続可能なものであって、直流電力を前記交流電力に変換する電力変換装置と、
を備え、蓄電装置を有し且つ前記交流電力の放電が可能な交流型車両が前記電源スタンドに接続された場合、又は、蓄電装置を有し且つ前記直流電力の放電が可能な直流型車両が前記電力変換装置に接続された場合に、前記蓄電装置の放電が可能な放電システムにおいて、
前記電源スタンドは、
前記交流電力が伝送される電源電力ラインと、
前記電源電力ラインとアースとを接続する電源漏電検知ライン上に設けられ、漏電を検知する電源漏電検知部と、
を備え、
前記電力変換装置は、
前記交流電力又は前記直流電力が伝送される変換電力ラインと、
前記変換電力ラインとアースとを接続する変換漏電検知ライン上に設けられ、漏電を検知する変換漏電検知部と、
を備え、
前記放電システムは、前記電源漏電検知ライン及び前記変換漏電検知ラインのいずれか一方のライン上に設けられ、前記電源スタンドと前記電力変換装置とが接続された場合にオフ状態となるスイッチング素子を備えていることを特徴とする放電システム。
【請求項１０】
前記電源スタンドは、前記電源スタンドと前記電力変換装置とを接続するケーブルとして、
前記交流電力を伝送するのに用いられる電力ケーブルと、
信号を伝送するのに用いられる信号ケーブルと、
を備え、
前記電源スタンド及び前記電力変換装置のうち前記スイッチング素子を有さない一方の装置は、前記スイッチング素子を有する他方の装置と接続された場合に、前記信号ケーブルを介して、予め定められた特定信号を出力する信号出力部を備え、
前記スイッチング素子は、前記信号ケーブルを介して、前記一方の装置から前記他方の装置に前記特定信号が入力された場合に、オン状態からオフ状態に切り替わる請求項９に記載の放電システム。
【発明の詳細な説明】
【技術分野】
【０００１】
本発明は、電源スタンド、電力変換装置及び放電システムに関する。
【背景技術】
【０００２】
蓄電装置が搭載された車両に対して電力供給を行う電源スタンドが知られている。このような電源スタンドは、漏電を検知する電源漏電検知部を備えたものが知られている（例えば特許文献１参照）。
【先行技術文献】
【特許文献】
【０００３】
【特許文献１】特開２０１０−２３９７７３号公報
【発明の概要】
【発明が解決しようとする課題】
【０００４】
近年、車両に搭載されている蓄電装置の放電電力を電源として用いることが考えられている。この点、特許文献１に記載の電源スタンド等においては、放電に関しては何ら考慮されていない。
【０００５】
また、蓄電装置を有する車両には、例えば、直流電力を交流電力に変換する電力変換装置が搭載され、交流電力による放電が可能な交流型車両と、電力変換装置が搭載されておらず、直流電力による放電が可能な直流型車両とがある。この場合、直流型車両の直流電力を用いて、各種負荷に交流電力を供給するためには、直流電力を交流電力に変換する電力変換装置を直流型車両に接続する必要がある。そして、その電力変換装置が、電源スタンドに接続された場合には、電源スタンドを介して各種負荷への電力供給が行われ、直接負荷に接続された場合には、当該負荷への電力供給が行われる。
【０００６】
ここで、電力変換装置においては、漏電を検知する変換漏電検知部を備えている場合がある。本発明者らは、このような変換漏電検知部を備えた電力変換装置と、電源漏電検知部を備えた電源スタンドとが接続された場合、漏電の誤検知が生じ得ることを見出した。特に、本発明者らは、変換漏電検知部及び電源漏電検知部の双方が、特許文献１に示すような抵抗方式、詳細には電力ラインとアースとを接続する漏電検知ライン上に抵抗及び漏電検知部が直列に設けられている方式であっても、漏電検知ラインを含む通電経路に電流が流れ、漏電の誤検知が生じ得ることを見出した。
【０００７】
本発明の目的は、上記事情を鑑みてなされたものであり、漏電の誤検知を好適に抑制することができる電源スタンド、電力変換装置及び放電システムを提供することである。
【課題を解決するための手段】
【０００８】
上記目的を達成する電源スタンドは、交流電力の入出力が可能なものであって、前記交流電力が伝送される電源電力ラインと、前記電源電力ラインとアースとを接続する電源漏電検知ライン上に設けられ、漏電を検知する電源漏電検知部と、前記電源漏電検知ライン上に設けられたスイッチング素子と、を備え、前記スイッチング素子は、直流電力を前記交流電力に変換するものであって漏電を検知する変換漏電検知部を有する電力変換装置と前記電源スタンドとが接続された場合には、オフ状態となることを特徴とする。
【０００９】
かかる構成によれば、変換漏電検知部を有する電力変換装置と電源スタンドとが接続された場合には、スイッチング素子がオフ状態となる。これにより、電源漏電検知ラインが遮断されるため、電源漏電検知ラインを含む通電経路が遮断される。よって、電源漏電検知部が誤って通電されることを抑制でき、それを通じて漏電の誤検知を抑制できる。
【００１０】
上記電源スタンドについて、前記電源スタンドと前記電力変換装置とを接続するケーブルとして、前記交流電力を伝送するのに用いられる電力ケーブルと、信号を伝送するのに用いられる信号ケーブルと、を備え、前記スイッチング素子は、前記信号ケーブルを介して前記電力変換装置から前記電源スタンドに入力される特定信号に基づいて、オン状態からオフ状態に切り替わるとよい。かかる構成によれば、スイッチング素子は、電力変換装置から電源スタンドに入力される特定信号に基づいて、オン状態からオフ状態に切り替わる。当該特定信号は、信号ケーブルを介して入力されるものである。このため、特定信号は、電源スタンドと電力変換装置とがケーブルを介して接続されていることを条件として電源スタンドに入力される。よって、電源スタンドと電力変換装置との接続と、スイッチング素子の動作との同期とを好適に取ることができる。また、電力変換装置と電源スタンドとが接続されていない状態においては、スイッチング素子をオン状態とすることにより、漏電検知を好適に行うことができる。
【００１１】
上記電源スタンドについて、前記電源電力ラインは、第１電源電力ライン及び第２電源電力ラインを備え、前記電源漏電検知ラインは、前記各電源電力ラインと前記電源漏電検知部との間の分岐点にて並列に分岐して前記各電源電力ラインに接続されており、前記スイッチング素子は、前記分岐点及びアース間を接続している共通ライン上に設けられているとよい。かかる構成によれば、各分岐ライン上の双方にスイッチング素子を設ける構成と比較して、構成の簡素化を図ることができる。
【００１２】
上記電源スタンドについて、前記電源電力ラインは、第１電源電力ライン及び第２電源電力ラインを備え、前記電源漏電検知ラインは、前記各電源電力ラインと前記電源漏電検知部との間の分岐点にて並列に分岐して前記各電源電力ラインに接続されており、前記スイッチング素子は、前記分岐点及び前記第１電源電力ライン間を接続している第１分岐ライン上と、前記分岐点及び前記第２電源電力ライン間を接続している第２分岐ライン上との双方に設けられているリレーであるとよい。一般的に、リレーは、電流が流れない又は微小な電流が流れる箇所よりも、ある程度の電流が流れる箇所に設けられている方が誤動作しにくい。この点、本構成によれば、比較的電流が流れる各分岐ライン上にリレーが設けられているため、リレーの誤動作の抑制を図ることができる。
【００１３】
上記目的を達成する電力変換装置は、蓄電装置を有し且つ直流電力の放電が可能な直流型車両と、交流電力の入出力が可能であり且つ漏電を検知する電源漏電検知部を有する電源スタンドとの双方に接続可能であるとともに、前記直流電力を前記交流電力に変換するものであって、前記直流電力又は前記交流電力が伝送される変換電力ラインと、前記変換電力ラインとアースとを接続する変換漏電検知ライン上に設けられ、漏電を検知する変換漏電検知部と、前記変換漏電検知ライン上に設けられたスイッチング素子と、を備え、前記スイッチング素子は、前記電力変換装置と前記電源スタンドとが接続された場合にオフ状態となることを特徴とする。
【００１４】
かかる構成によれば、変換漏電検知部を有する電力変換装置と電源スタンドとが接続された場合には、スイッチング素子がオフ状態となる。これにより、変換漏電検知ラインが遮断されるため、変換漏電検知ラインを含む通電経路が遮断される。よって、変換漏電検知部が誤って通電されることを抑制でき、それを通じて漏電の誤検知を抑制できる。
【００１５】
上記電力変換装置について、前記電源スタンドは、前記電源スタンドと前記電力変換装置とを接続するケーブルとして、前記交流電力を伝送するのに用いられる電力ケーブルと、信号を伝送するのに用いられる信号ケーブルと、を備え、前記スイッチング素子は、前記信号ケーブルを介して前記電源スタンドから前記電力変換装置に入力される特定信号に基づいて、オン状態からオフ状態に切り替わるとよい。かかる構成によれば、スイッチング素子は、電源スタンドから電力変換装置に入力される特定信号に基づいて、オン状態からオフ状態に切り替わる。当該特定信号は、信号ケーブルを介して入力されるものである。このため、特定信号は、電源スタンドと電力変換装置とがケーブルを介して接続されていることを条件として電力変換装置に入力される。よって、電源スタンドと電力変換装置との接続と、スイッチング素子の動作との同期とを好適に取ることができる。また、電力変換装置と電源スタンドとが接続されていない状態においては、スイッチング素子をオン状態とすることにより、漏電検知を好適に行うことができる。
【００１６】
上記電力変換装置について、前記変換電力ラインは、第１変換電力ライン及び第２変換電力ラインを備え、前記変換漏電検知ラインは、前記各変換電力ラインと前記変換漏電検知部との間の分岐点にて並列に分岐して前記各変換電力ラインに接続されており、前記スイッチング素子は、前記分岐点及びアース間を接続している共通ライン上に設けられているとよい。かかる構成によれば、各分岐ライン上の双方にスイッチング素子を設ける構成と比較して、構成の簡素化を図ることができる。
【００１７】
上記電力変換装置について、前記変換電力ラインは、第１変換電力ライン及び第２変換電力ラインを備え、前記変換漏電検知ラインは、前記各変換電力ラインと前記変換漏電検知部との間の分岐点にて並列に分岐して前記各変換電力ラインに接続されており、前記スイッチング素子は、前記分岐点及び前記第１変換電力ライン間を接続している第１分岐ライン上と、前記分岐点及び前記第２変換電力ライン間を接続している第２分岐ライン上との双方に設けられているリレーであるとよい。一般的に、リレーは、電流が流れない又は微小な電流が流れる箇所よりも、ある程度の電流が流れる箇所に設けられている方が誤動作しにくい。この点、本構成によれば、比較的電流が流れる各分岐ライン上にリレーが設けられているため、リレーの誤動作の抑制を図ることができる。
【００１８】
上記目的を達成する放電システムは、交流電力の入出力が可能な電源スタンドと、前記電源スタンドと接続可能なものであって、直流電力を前記交流電力に変換する電力変換装置と、を備え、蓄電装置を有し且つ前記交流電力の放電が可能な交流型車両が前記電源スタンドに接続された場合、又は、蓄電装置を有し且つ前記直流電力の放電が可能な直流型車両が前記電力変換装置に接続された場合に、前記蓄電装置の放電が可能なものであって、前記電源スタンドは、前記交流電力が伝送される電源電力ラインと、前記電源電力ラインとアースとを接続する電源漏電検知ライン上に設けられ、漏電を検知する電源漏電検知部と、を備え、前記電力変換装置は、前記交流電力又は前記直流電力が伝送される変換電力ラインと、前記変換電力ラインとアースとを接続する変換漏電検知ライン上に設けられ、漏電を検知する変換漏電検知部と、を備え、前記放電システムは、前記電源漏電検知ライン及び前記変換漏電検知ラインのいずれか一方のライン上に設けられ、前記電源スタンドと前記電力変換装置とが接続された場合にオフ状態となるスイッチング素子を備えていることを特徴とする。
【００１９】
かかる構成によれば、変換漏電検知部を有する電力変換装置と電源スタンドとが接続された場合には、スイッチング素子がオフ状態となる。これにより、スイッチング素子が存在する漏電検知ラインが遮断されるため、当該漏電検知ラインを含む通電経路が遮断される。よって、各漏電検知部が誤って通電されることを抑制でき、それを通じて漏電の誤検知を抑制できる。
【００２０】
上記放電システムについて、前記電源スタンドは、前記電源スタンドと前記電力変換装置とを接続するケーブルとして、前記交流電力を伝送するのに用いられる電力ケーブルと、信号を伝送するのに用いられる信号ケーブルと、を備え、前記電源スタンド及び前記電力変換装置のうち前記スイッチング素子を有さない一方の装置は、前記スイッチング素子を有する他方の装置と接続された場合に、前記信号ケーブルを介して、予め定められた特定信号を出力する信号出力部を備え、前記スイッチング素子は、前記信号ケーブルを介して、前記一方の装置から前記他方の装置に前記特定信号が入力された場合に、オン状態からオフ状態に切り替わるとよい。かかる構成によれば、スイッチング素子は、一方の装置から他方の装置に特定信号が入力された場合に、オン状態からオフ状態に切り替わる。当該特定信号は、一方の装置と他方の装置とが接続された場合に、信号ケーブルを介して伝送されるものである。このため、特定信号は、電源スタンドと電力変換装置とがケーブルを介して接続されていることを条件として伝送される。よって、電源スタンドと電力変換装置との接続と、スイッチング素子の動作との同期とを好適に取ることができる。また、電力変換装置と電源スタンドとが接続されていない状態においては、スイッチング素子をオン状態とすることにより、漏電検知を好適に行うことができる。
【発明の効果】
【００２１】
この発明によれば、漏電の誤検知を好適に抑制することができる。
【図面の簡単な説明】
【００２２】
【図１】第１実施形態の放電システムを示すブロック回路図。
【図２】放電システムの簡略化した等価回路図。
【図３】電源スタンドと交流型車両との接続態様を示すブロック回路図。
【図４】第２実施形態の放電システムを示すブロック回路図。
【発明を実施するための形態】
【００２３】
（第１実施形態）
以下、電源スタンド、電力変換装置及び放電システムの一実施形態について説明する。
まず、放電システムの概要について説明する。図１に示すように、放電システムＳは、蓄電装置Ｂを有し且つ直流電力の放電が可能な直流型車両Ｃ１に接続可能な電力変換装置１０と、電力変換装置１０に接続可能なものであって交流電力の入出力が可能な電源スタンド２０とを備えている。
【００２４】
電力変換装置１０は、移動可能な可搬型であり、直流型車両Ｃ１に積載可能なものである。電力変換装置１０は、直流電力又は交流電力が伝送される２つの変換電力ライン１１，１２上に設けられたＤＣ／ＤＣコンバータ１３及びＤＣ／ＡＣインバータ１４を備えている。ＤＣ／ＤＣコンバータ１３は、直流型車両Ｃ１の蓄電装置Ｂの直流電力が入力されるものであって当該直流電力の電圧変換を行う。ＤＣ／ＡＣインバータ１４は、絶縁型のものと比較して比較的軽量な非絶縁型であって、ＤＣ／ＤＣコンバータ１３にて電圧変換された直流電力を交流電力に変換する。
【００２５】
また、電力変換装置１０は、ＤＣ／ＤＣコンバータ１３及びＤＣ／ＡＣインバータ１４の制御を行う変換制御部１５を備えている。変換制御部１５は、例えばＤＣ／ＤＣコンバータ１３及びＤＣ／ＡＣインバータ１４の動作を開始又は停止させることにより、ＤＣ／ＡＣインバータ１４からの交流電力の出力のオンオフ制御を行う。
【００２６】
図１に示すように、電源スタンド２０は、電力変換装置１０との接続に用いられるケーブル２０ａを備えている。ケーブル２０ａは、複数のものが束ねられたハーネス構造となっており、交流電力の伝送に用いられる電力ケーブル２０ａａ，２０ａｂを有している。ケーブル２０ａが電力変換装置１０に接続されることにより、変換電力ライン１１，１２と電力ケーブル２０ａａ，２０ａｂとが電気的に接続される。
【００２７】
電源スタンド２０は、交流電力が伝送される２つの電源電力ライン２１，２２と、電源電力ライン２１，２２に接続された絶縁トランス２３とを備えている。電源電力ライン２１，２２は、一端が電力ケーブル２０ａａ，２０ａｂに接続されており、他端が絶縁トランス２３に接続されている。絶縁トランス２３は、電力変換装置１０、詳細にはＤＣ／ＡＣインバータ１４から入力された交流電力を、電圧変換することなく、電源スタンド２０と負荷Ｘとの間に設けられた切替器ＳＷに出力する。切替器ＳＷは、負荷Ｘの接続先を、電源スタンド２０又は系統電源Ｅに切り替えるものである。なお、切替器ＳＷは、電源スタンド２０に搭載されていてもよい。
【００２８】
かかる構成によれば、直流型車両Ｃ１の蓄電装置Ｂから出力された電力は、変換電力ライン１１，１２→電力ケーブル２０ａａ，２０ａｂ→電源電力ライン２１，２２の順に伝送され、絶縁トランス２３に入力される。この際、変換電力ライン１１，１２上に設けられたＤＣ／ＡＣインバータ１４によって直流電力が交流電力に変換される。これにより、絶縁トランス２３には交流電力が入力される。
【００２９】
ここで、変換電力ライン１１，１２上に設けられたＤＣ／ＤＣコンバータ１３は、絶縁トランス２３に入力される交流電力の電圧（電圧の振幅）が負荷Ｘにとって適切な値（例えば１００Ｖ又は２００Ｖ）となるよう蓄電装置Ｂの直流電力の電圧を変換する。これにより、絶縁トランス２３にて電圧変換を行うことなく、負荷Ｘに適切な電圧の交流電力が入力される。なお、これに限られず、絶縁トランス２３で電圧変換を行ってもよい。
【００３０】
電源スタンド２０は、当該電源スタンド２０に設けられた報知部２４の制御を行う電源制御部２５を備えている。報知部２４の具体的な構成は任意であるが、例えば表示部、スピーカ、及びそれらを組み合わせたもの等が考えられる。
【００３１】
ちなみに、図１に示すように、電力変換装置１０は、当該電力変換装置１０のアース（グラウンド）に接続された変換グランドライン１６を備えており、電源スタンド２０は、アース（例えば地面）に接続された電源グランドライン２６を備えている。そして、電源スタンド２０のケーブル２０ａは、変換グランドライン１６及び電源グランドライン２６を接続するグランドケーブル２０ａｃを備えている。これにより、ケーブル２０ａを介して電源スタンド２０と電力変換装置１０とが接続された場合、電源スタンド２０と電力変換装置１０とでアースが共通化されている。この場合、変換グランドライン１６は電源スタンド２０のアースに接続されているとも言える。
【００３２】
なお、電源スタンド２０と電力変換装置１０とでアースが共通化されていれば、その具体的な構成は任意であり、例えば、電源グランドライン２６と外部（例えば負荷Ｘ）のアースとが接続されている構成であってもよい。
【００３３】
次に、漏電検知に係る構成について説明する。
図１に示すように、電力変換装置１０は、変換電力ライン１１，１２とアース（変換グランドライン１６）とを接続する変換漏電検知ライン３１上に設けられ、漏電を検知する変換漏電検知部３２を備えている。変換漏電検知ライン３１は、変換漏電検知部３２と変換電力ライン１１，１２との間の分岐点Ｐ１にて並列に分岐している。このため、変換漏電検知ライン３１は、分岐点Ｐ１及び第１変換電力ライン１１を接続している第１分岐ライン３１ａと、分岐点Ｐ１及び第２変換電力ライン１２を接続している第２分岐ライン３１ｂと、分岐点Ｐ１及びアースを接続している共通ライン３１ｃとから構成される。そして、第１分岐ライン３１ａ上には第１抵抗Ｒ１が設けられており、第２分岐ライン３１ｂ上には第２抵抗Ｒ２が設けられている。第１抵抗Ｒ１及び第２抵抗Ｒ２の抵抗値は同一に設定されている。
【００３４】
変換漏電検知部３２は、共通ライン３１ｃ上に配置されており、共通ライン３１ｃに流れる電流を検知し、その検知結果を出力する。なお、変換漏電検知部３２の具体的な構成は任意であるが、例えば零相変流器（ＺＣＴ）などの変流器等が考えられる。
【００３５】
電力変換装置１０の変換制御部１５は、変換漏電検知部３２の検知結果に基づいてＤＣ／ＤＣコンバータ１３及びＤＣ／ＡＣインバータ１４の制御を行う。詳細には、変換制御部１５は、変換漏電検知部３２の検知結果に基づいて、共通ライン３１ｃに漏電電流が流れたか否かを判定し、漏電電流が流れたと判定した場合には、ＤＣ／ＤＣコンバータ１３及びＤＣ／ＡＣインバータ１４の動作を停止させる。これにより、電源スタンド２０への交流電力の出力が停止し、蓄電装置Ｂの放電が停止する。
【００３６】
同様に、電源スタンド２０は、電源電力ライン２１，２２とアース（電源グランドライン２６）とを接続する電源漏電検知ライン４１上に設けられ、漏電を検知する電源漏電検知部４２を備えている。電源漏電検知ライン４１は、変換漏電検知ライン３１と同様に、分岐点Ｐ２及び第１電源電力ライン２１を接続している第１分岐ライン４１ａと、分岐点Ｐ２及び第２電源電力ライン２２を接続している第２分岐ライン４１ｂと、分岐点Ｐ２及びアースを接続している共通ライン４１ｃとから構成される。第１分岐ライン４１ａ上には第３抵抗Ｒ３が設けられており、第２分岐ライン４１ｂ上には第４抵抗Ｒ４が設けられている。第３抵抗Ｒ３及び第４抵抗Ｒ４の抵抗値は同一に設定されている。そして、電源漏電検知部４２は、共通ライン４１ｃ上に設けられている。なお、電源漏電検知部４２の具体的な構成は変換漏電検知部３２と同様であるため、説明を省略する。
【００３７】
電源スタンド２０の電源制御部２５は、電源漏電検知部４２の検知結果に基づいて、共通ライン４１ｃに漏電電流が流れたか否かを判定し、漏電電流が流れたと判定した場合には、報知部２４を用いて、漏電が生じている旨の報知を行う。
【００３８】
ここで、本発明者らは、上記のように構成された電力変換装置１０と電源スタンド２０とが接続された場合、漏電の誤検知が生じ得ることを見出した。その点について図２を用いて詳細に説明する。図２は、電力変換装置１０と電源スタンド２０とが接続された場合の放電システムＳの簡略化された等価回路図である。なお、図２においては、変換漏電検知部３２を第５抵抗Ｒ５とし、電源漏電検知部４２を第６抵抗Ｒ６とする。また、図２においては、後述するリレー５０を破線で示すとともに、説明の便宜上、当該リレー５０はオン状態であるとする。
【００３９】
図２に示すように、電力変換装置１０と電源スタンド２０とが接続された場合、各抵抗Ｒ１〜Ｒ６及びＤＣ／ＤＣコンバータ１３を含むブリッジ回路ＢＣが形成される。この場合、第１抵抗Ｒ１の抵抗値と第２抵抗Ｒ２の抵抗値とが同一であり、第３抵抗Ｒ３の抵抗値と第４抵抗Ｒ４の抵抗値とが同一であるため、ＤＣ／ＤＣコンバータ１３による電圧変換が行われない状況においては平衡条件（Ｒ１／Ｒ２＝Ｒ３／Ｒ４）が成立し、第５抵抗Ｒ５及び第６抵抗Ｒ６に電流は流れない。
【００４０】
一方、ＤＣ／ＤＣコンバータ１３による電圧変換が行われる場合、当該ＤＣ／ＤＣコンバータ１３の電圧変換によってブリッジ回路ＢＣの平衡状態が崩れ、例えば図２の矢印Ａに示すように、第５抵抗Ｒ５（変換漏電検知部３２）及び第６抵抗Ｒ６（電源漏電検知部４２）に電流が流れ得る。この場合、漏電が発生したとして漏電の誤検知が生じる。特に、蓄電装置Ｂの電圧が低い場合には、相対的にＤＣ／ＤＣコンバータ１３の電圧変換に係る電圧変動の影響が大きくなるため、上記誤検知が生じ易い。
【００４１】
これに対して、本実施形態の放電システムＳは、上記誤検知を抑制するための構成を備えている。当該構成について以下に詳細に説明する。
図１に示すように、電源スタンド２０は、電源電力ライン２１，２２とアース（電源グランドライン２６）とを接続又は遮断するリレー５０を備えている。リレー５０は、電源漏電検知ライン４１上、詳細には共通ライン４１ｃ上に設けられており、接点５１と、当該接点５１をオンオフするコイル５２とを備えている。リレー５０はｂ接点のタイプである。つまり、コイル５２に電流が流れていない場合には、リレー５０（接点５１）はオン状態である。この場合、電源漏電検知部４２と、アースとが接続されている。一方、コイル５２に電流が流れている場合にはリレー５０はオフ状態となる。この場合、電源漏電検知部４２と、アースとは遮断されている。なお、リレー５０は、コイル５２に対して並列に逆接続されたダイオード５３を有している。リレー５０、詳細にはリレー５０の接点５１がスイッチング素子に対応する。
【００４２】
図１に示すように、電力変換装置１０は、ケーブル２０ａを介して電源スタンド２０に接続されているか否かを判定するとともに、電源スタンド２０に接続されたことに基づいて、電源スタンド２０に予め定められた特定信号を出力する信号出力部６０を備えている。信号出力部６０は、所定の電圧を出力する制御電源６１と、制御電源６１から電圧が印加されるものであって、直列に接続された分圧抵抗６２，６３とを備えている。また、信号出力部６０は、非反転入力端子が各分圧抵抗６２，６３の接続線に接続され、反転入力端子が基準電圧を出力する基準電源６４に接続されたコンパレータ６５を備えている。コンパレータ６５の出力端は変換制御部１５に接続されている。なお、制御電源６１の出力電圧は、基準電源６４の基準電圧よりも高く設定されているとともに、コイル５２の動作電圧よりも高く設定されている。
【００４３】
また、ケーブル２０ａは、信号出力部６０（詳細には分圧抵抗６３）とリレー５０（詳細にはコイル５２の一端）とを接続する信号ケーブル２０ａｄを備えている。なお、コイル５２の他端は、電源グランドライン２６を介してアースに接続されている。
【００４４】
かかる構成によれば、ケーブル２０ａを介して電力変換装置１０と電源スタンド２０とが接続された場合、信号ケーブル２０ａｄを介して、信号出力部６０の分圧抵抗６３とリレー５０のコイル５２とが接続される。これにより、リレー５０のコイル５２には、信号ケーブル２０ａｄを介して、特定信号として、リレー５０が動作可能な電圧が入力される。これにより、コイル５２が通電され、リレー５０がオン状態からオフ状態に切り替わる。つまり、本実施形態では、特定信号とは、リレー５０を動作させる動作信号であり、換言すればコイル５２を通電させる電圧信号である。
【００４５】
ここで、信号ケーブル２０ａｄによって信号出力部６０とリレー５０とが接続されていない場合、各分圧抵抗６２，６３はフローティング状態である。このため、非反転入力端子に入力される電圧は制御電源６１の出力電圧と同一である。この場合、制御電源６１の出力電圧は基準電圧よりも高いため、コンパレータ６５の出力はＨＩとなる。
【００４６】
一方、信号ケーブル２０ａｄによって信号出力部６０とリレー５０とが接続された場合には、各分圧抵抗６２，６３にて電圧降下が生じる。すると、非反転入力端子に入力される電圧が、反転入力端子に入力される基準電圧よりも低くなり、コンパレータ６５の出力がＬＯＷとなる。変換制御部１５は、コンパレータ６５から入力される信号がＨＩからＬＯＷに切り替わることにより、電力変換装置１０と電源スタンド２０とが接続されたことを検知する。つまり、コンパレータ６５は、電力変換装置１０と電源スタンド２０（詳細にはリレー５０）との接続状態を示す接続信号を出力する接続信号出力部である。
【００４７】
そして、変換制御部１５は、電力変換装置１０と電源スタンド２０とが接続されたことが検知されたことに基づいて、ＤＣ／ＤＣコンバータ１３及びＤＣ／ＡＣインバータ１４を動作させて蓄電装置Ｂの放電を開始する。
【００４８】
ちなみに、図３に示すように、電源スタンド２０は、ケーブル２０ａを介して、交流型車両Ｃ２とも接続可能となっている。交流型車両Ｃ２は、蓄電装置Ｂと、蓄電装置Ｂに接続された車両電力ラインＣ２１，Ｃ２２と、車両電力ラインＣ２１，Ｃ２２上に設けられたＤＣ／ＤＣコンバータ１３及びＤＣ／ＡＣインバータ１４と、ＤＣ／ＤＣコンバータ１３及びＤＣ／ＡＣインバータ１４を制御する車両制御部Ｃ２３とを備えている。一方、交流型車両Ｃ２は、信号出力部６０を備えていない。そして、交流型車両Ｃ２には、信号ケーブル２０ａｄの接続先が存在しない。このため、仮にケーブル２０ａを介して交流型車両Ｃ２と電源スタンド２０とが接続された場合、リレー５０には特定信号が入力されない。つまり、コイル５２には電圧が印加されない。よって、リレー５０はオン状態を維持する。
【００４９】
なお、電力ケーブル２０ａａ，２０ａｂ、信号ケーブル２０ａｄ及びグランドケーブル２０ａｃが束ねられたハーネス構造のケーブル２０ａの先端には、コネクタが設けられている。そして、電力変換装置１０及び交流型車両Ｃ２は、上記コネクタと接続可能なコネクタ受部を備えている。コネクタとコネクタ受部とが接続されることにより、対応するラインとケーブルとが接続される。
【００５０】
同様に、電力変換装置１０は、先端にコネクタが設けられたケーブルを備え、直流型車両Ｃ１は当該コネクタと接続可能なコネクタ受部を備えている。電力変換装置１０と直流型車両Ｃ１とは、上記コネクタと上記コネクタ受部とが接続されることにより、蓄電装置Ｂの電力伝送が可能となる。
【００５１】
次に本実施形態の作用について説明する。
電力変換装置１０と電源スタンド２０とが接続されたことに基づいて、リレー５０がオン状態からオフ状態に切り替わる。これにより、電源漏電検知部４２とアース（電源グランドライン２６）との接続が遮断される。つまり、図２の等価回路図においては、第５抵抗Ｒ５と第６抵抗Ｒ６との接続が遮断される。すると、図２の矢印Ａに示すような電流が流れない。
【００５２】
以上詳述した本実施形態によれば以下の優れた効果を奏する。
（１）電源スタンド２０は、交流電力が伝送される各電源電力ライン２１，２２と、各電源電力ライン２１，２２とアースとを接続する電源漏電検知ライン４１上に設けられ、漏電を検知する電源漏電検知部４２とを備えている。かかる構成において、電源スタンド２０は、電源漏電検知ライン４１上に設けられ、各電源電力ライン２１，２２とアース（電源グランドライン２６）とを接続又は遮断するリレー５０を有し、当該リレー５０は、電源スタンド２０と電力変換装置１０とが接続された場合にオフ状態となる。これにより、ＤＣ／ＤＣコンバータ１３の電圧変換等に起因して、各漏電検知部３２，４２に電流が流れることが規制される。よって、電源漏電検知ライン４１上に電源漏電検知部４２を有する電源スタンド２０と、変換漏電検知ライン３１上に変換漏電検知部３２を有する電力変換装置１０とが接続されることによって生じ得る漏電の誤検知を抑制できる。
【００５３】
（２）放電システムＳは、電力変換装置１０に設けられ、電力変換装置１０と電源スタンド２０とが接続された場合に、信号ケーブル２０ａｄを介して、特定信号を出力する信号出力部６０を備えている。リレー５０は、信号ケーブル２０ａｄを介して、信号出力部６０から特定信号が入力されることにより、オン状態からオフ状態に切り替わる。これにより、電力変換装置１０と電源スタンド２０との接続と、リレー５０の動作との同期を好適に取ることができる。
【００５４】
ここで、上記のような漏電の誤検知を抑制する一例として、例えば電力変換装置１０のＤＣ／ＡＣインバータ１４として絶縁型を用いることも考えられる。しかしながら、ＤＣ／ＡＣインバータ１４に絶縁型を用いると、電力変換装置１０の大型化と、重量及びコストの増大化等といった不都合が懸念される。
【００５５】
これに対して、本実施形態では、リレー５０と信号出力部６０という比較的簡素な構成で、上記漏電の誤検知の抑制を実現した。これにより、上記のような不都合を好適に抑制できる。
【００５６】
（３）特に、信号出力部６０は、特定信号としてリレー５０の動作信号を出力するものであり、電源スタンド２０は、信号ケーブル２０ａｄを介して入力された動作信号がリレー５０に直接入力されるよう構成されている。これにより、電源スタンド２０に、リレー５０を動作させるための制御電源６１等を設ける必要がない分、電源スタンド２０の構成の簡素化を図ることができる。
【００５７】
（４）信号出力部６０は、信号ケーブル２０ａｄを介してリレー５０と接続されることにより、出力信号が反転するコンパレータ６５を備えている。これにより、電力変換装置１０にて、電源スタンド２０と接続されたか否かを把握することができる。
【００５８】
（５）リレー５０は、共通ライン４１ｃ上に設けられている。これにより、１つの接点５１の制御で誤検知を抑制することができるため、構成の簡素化を図ることができる。
（第２実施形態）
本実施形態では、図４に示すように、電力変換装置１０に、リレー７０が設けられている。リレー７０は、変換漏電検知ライン３１における第１分岐ライン３１ａ上及び第２分岐ライン３１ｂ上の双方に設けられている。詳細には、リレー７０は、第１分岐ライン３１ａ上に設けられた第１接点７１と、第２分岐ライン３１ｂ上に設けられた第２接点７２と、各接点７１，７２のオンオフ動作を行うコイル７３とを備えている。リレー７０の各接点７１，７２は、コイル７３に電流が流れていない状態においてオン状態であり、コイル７３に電流が流れている状態においてオフ状態となる。
【００５９】
また、コイル７３の一端は、制御電源６１に接続されており、コイル７３の他端は、スイッチ７４を介して変換グランドライン１６に接続されている。スイッチ７４がオフ状態の場合、コイル７３に電流が流れないため、リレー７０はオン状態を維持する。一方、スイッチ７４がオン状態の場合、コイル７３に電流が流れるため、リレー７０はオフ状態となる。なお、スイッチ７４はノーマリーオフである。
【００６０】
ここで、本実施形態では、変換制御部１５及び電源制御部２５は、信号ケーブル２０ａｄを介して接続可能となっており、各制御部１５，２５は、信号ケーブル２０ａｄを介して接続された場合には、両者間で信号のやり取りを行うことにより、電力変換装置１０と電源スタンド２０とが接続されたことを確認する。例えば、電源制御部２５は、予め定められた特定電圧の接続信号を常に出力しており、変換制御部１５は、信号ケーブル２０ａｄを介して当該接続信号が入力された場合に、電源制御部２５と接続されたと判定する。換言すれば、各制御部１５，２５は、情報のやり取りを行う通信部であると言える。
【００６１】
かかる構成において、変換制御部１５は、電源制御部２５との接続状況に応じてスイッチ７４の制御を行う。詳細には、変換制御部１５は、信号ケーブル２０ａｄを介して電源制御部２５から接続されていることを示す上記接続信号が入力された場合には、スイッチ７４をオフ状態からオン状態に切り替える。すなわち、本実施形態では、特定信号とは、接続信号である。そして、リレー７０は、電源スタンド２０と電力変換装置１０とが接続された場合に電源スタンド２０から電力変換装置１０（詳細には変換制御部１５）に入力される接続信号に基づいて、オン状態からオフ状態に切り替わるものである。
【００６２】
次に本実施形態の作用について説明する。
電力変換装置１０と電源スタンド２０とが接続された場合、スイッチ７４がオフ状態からオン状態となるため、リレー７０がオン状態からオフ状態となる。これにより、変換電力ライン１１，１２とアースとの接続が遮断される。この場合、ブリッジ回路ＢＣが形成されないため、各漏電検知部３２，４２に電流が流れることが規制される。
【００６３】
以上詳述した本実施形態によれば以下の優れた効果を奏する。
（６）電力変換装置１０は、変換漏電検知ライン３１上に設けられ、変換電力ライン１１，１２とアース（変換グランドライン１６）とを接続又は遮断するリレー７０を備えている。リレー７０は、電力変換装置１０と電源スタンド２０とが接続された場合にオフ状態となる。これにより、上記（１）と同様の効果を奏する。
【００６４】
（７）特に、本実施形態では、コイル７３の動作電圧を印加する制御電源６１とリレー７０とが同一装置（電力変換装置１０）に設けられている。これにより、コイル７３の通電経路に、信号ケーブル２０ａｄが含まれない。よって、信号ケーブル２０ａｄを用いて、電力変換装置１０及び電源スタンド２０間で情報のやり取りを行うことができ、汎用性の向上を図ることができる。
【００６５】
（８）リレー７０は、第１分岐ライン３１ａ上及び第２分岐ライン３１ｂ上の双方に設けられている。詳細には、リレー７０の接点７１，７２は分岐ライン３１ａ，３１ｂ上に設けられている。これにより、リレー７０の誤動作の抑制を図ることができる。
【００６６】
詳述すると、一般的に、リレーは、接点に流れる電流が高い箇所よりも、接点に流れる電流が低い箇所の方が誤動作し易い。この点、本実施形態では、各分岐ライン３１ａ，３１ｂには、蓄電装置Ｂの放電時に電流が流れる一方、共通ライン３１ｃには漏電が生じない限り電流がほとんど流れないことに着目して、各分岐ライン３１ａ，３１ｂ上にリレー７０を設けた。これにより、リレー７０の誤動作の抑制を図ることができる。
【００６７】
なお、上記実施形態は以下のように変更してもよい。
○  放電システムＳは、蓄電装置Ｂの充放電を行う充放電システムであってもよい。詳細には、例えば系統電源Ｅ、電源スタンド２０、電力変換装置１０及び直流型車両Ｃ１の順に接続し、系統電源Ｅの系統電力を用いて直流型車両Ｃ１の蓄電装置Ｂの充電を行なってもよい。この場合、ＤＣ／ＡＣインバータ１４に代えて、直流電力及び交流電力間の双方向の変換が可能なものを採用するとよい。
【００６８】
○  第１実施形態では、信号出力部６０が電力変換装置１０に設けられており、リレー５０が電源スタンド２０に設けられていたが、これに限られず、信号出力部６０が電源スタンド２０に設けられており、リレー５０が電力変換装置１０に設けられていてもよい。
【００６９】
○  同様に、第２実施形態において、リレー７０及びスイッチ７４等が電源スタンド２０に設けられており、電源制御部２５がスイッチ７４の制御を行なってもよい。
○  第２実施形態において、電力変換装置１０が信号出力部６０を備え、電源スタンド２０が、信号ケーブル２０ａｄを介して入力される動作信号によって電流が流れる負荷を備えていてもよい。この場合、電力変換装置１０は、コンパレータ６５の出力がＨＩからＬＯＷに切り替わることに基づいて、リレー７０をオン状態からオフ状態に切り替える回路を備えているとよい。これにより、電源スタンド２０から接続信号等といった特定信号を受信することなく、リレー７０の制御を行うことができる。
【００７０】
つまり、電力変換装置１０及び電源スタンド２０のうち、スイッチング素子が設けられている一方の装置としては、他方の装置との接続状態（接続されているか否か）を把握することができればよく、必ずしも他方の装置から特定信号を受信する必要はない。
【００７１】
○  第１実施形態にて、コイル５２の動作信号が伝送される信号ケーブル２０ａｄとは別に、各制御部１５，２５間の情報やり取りを行う信号ケーブルを別途設けてもよい。
○  電力変換装置１０及び電源スタンド２０の双方にリレーが設けられていてもよい。この場合、電力変換装置１０及び電源スタンド２０が接続された場合に、いずれか一方のリレーがオフ状態となり、他方のリレーがオン状態を維持すればよい。要は、電力変換装置１０及び電源スタンド２０のいずれか一方に、両者が接続された場合にオフ状態となるリレーがあればよい。
【００７２】
○  第１実施形態の構成と第２実施形態の構成とを適宜組み合わせてもよい。
○  リレー５０，７０を制御する具体的な回路構成は任意である。
○  各実施形態では、スイッチング素子としてリレー５０，７０を用いたが、これに限られず、スイッチング素子であれば任意である。例えばＩＧＢＴ等のパワー半導体素子等を用いてもよい。
【００７３】
次に、上記各実施形態及び別例から把握できる好適な一例について以下に記載する。
（イ）前記電源スタンドは、蓄電装置を有し且つ前記交流電力の放電が可能な交流型車両と前記電源スタンドとが接続された場合にはオン状態である請求項１〜４のうちいずれか一項に記載の電源スタンド。
【符号の説明】
【００７４】
１０…電力変換装置、１１，１２…変換電力ライン、１５…変換制御部、２０…電源スタンド、２０ａ…ケーブル、２０ａａ，２０ａｂ…電力ケーブル、２０ａｄ…信号ケーブル、２１，２２…電源電力ライン、２５…電源制御部、３１…変換漏電検知ライン、３２…変換漏電検知部、４１…電源漏電検知ライン、４２…電源漏電検知部、５０…リレー、６０…信号出力部、７０…第２実施形態のリレー、７４…スイッチ、Ｂ…蓄電装置、Ｃ１…直流型車両、Ｃ２…交流型車両、Ｓ…放電システム。
【図１】
2015050795.tif 000003
【図２】
2015050795.tif 000004
【図３】
2015050795.tif 000005
【図４】
2015050795.tif 000006